(57)【特許請求の範囲】
【請求項１】
天井から垂下した吊りボルトと、この吊りボルトの下部に取り付けられ野縁受けを支持する支持部材と、前記野縁受けの下部に取付部材により取り付けられる野縁と、前記吊りボルトと前記野縁又は前記野縁受けとを連結する天井落下防止バンドとを備えた天井構造において、前記天井落下防止バンドは、バンド部と、このバンド部を挿通係止し該バンド部を緩め側に戻さないようにするロック部と、前記吊りボルトに固定する吊りボルト固定部とを備え、前記支持部材は、前記吊りボルトを挿通する上片と、前記野縁受けを引っ掛ける掛け部とを一体に有し、前記吊りボルト固定部が吊りボルト用挿通孔であり、前記吊りボルト用挿通孔の周囲部分は、前記バンド部より厚く、前記上片と前記吊りボルト用挿通孔に前記吊りボルトを挿通すると共に、前記吊りボルトに螺合した上下のナットにより前記周囲部分と前記上片を挟み付けたことを特徴とする天井構造。
【発明の詳細な説明】
【技術分野】
【０００１】
本発明は、天井構造に関する。
【背景技術】
【０００２】
公会堂や体育館などの天井面積が大きい建物において、設計条件を超える地震時に、天井が落下する事故が発生する虞がある。これは天井面が建物と別に振動し建物に衝突することにより発生する。
【０００３】
そこで、天井と壁との間に減衰装置を組み込んだり、天井構造を補強フレームや補強材により補強したりする（例えば特許文献１及び特許文献２）ことにより天井の落下を防止することが提案されている。
【先行技術文献】
【特許文献】
【０００４】
【特許文献１】特開２００８−２５５７３５号公報
【特許文献２】実用新案登録第３１３３３２９号公報
【発明の概要】
【発明が解決しようとする課題】
【０００５】
しかし、上記従来技術では、補強フレームや補強材を設けるために費用が嵩むと共に、施工性が低下するという問題がある。
【０００６】
そこで、本発明は、上記問題点を考慮してなされたものであり、構造簡易で、安価にして落下防止効果が得られる天井構造を提供することを目的とする。
【課題を解決するための手段】
【０００７】
本発明の天井構造は、天井から垂下した吊りボルトと、この吊りボルトの下部に取り付けられ野縁受けを支持する支持部材と、前記野縁受けの下部に取付部材により取り付けられる野縁と、前記吊りボルトと前記野縁又は前記野縁受けとを連結する天井落下防止バンドとを備えた天井構造において、前記天井落下防止バンドは、バンド部と、このバンド部を挿通係止し該バンド部を緩め側に戻さないようにするロック部と、前記吊りボルトに固定する吊りボルト固定部とを備え、前記支持部材は、前記吊りボルトを挿通する上片と、前記野縁受けを引っ掛ける掛け部とを一体に有し、前記吊りボルト固定部が吊りボルト用挿通孔であり、前記吊りボルト用挿通孔の周囲部分は、前記バンド部より厚く、前記上片と前記吊りボルト用挿通孔に前記吊りボルトを挿通すると共に、前記吊りボルトに螺合した上下のナットにより前記周囲部分と前記上片を挟み付けたことを特徴とする。
【０００８】
これにより、使用時には、吊りボルト固定部によりバンドを吊りボルトに固定し、バンド部を野縁に巻き、そのバンド部をロック部に係止する。これにより野縁が野縁受けから外れても、吊りボルトによりバンドを介して野縁が保持される。また、吊りボルトと前記野縁受けとを連結した場合は、支持部材から野縁受けが外れても、吊りボルトによりバンドを介して野縁受けが保持される。
【発明の効果】
【０００９】
本発明の天井構造によれば、バンドを用いて簡易な天井落下防止構造が得られ、実施化が容易で、量産効果が得やすい。
【図面の簡単な説明】
【００１０】
【図１】本発明の実施例１を示す天井構造の正面図である。
【図２】同上、天井構造の要部の側面図である。
【図３】同上、落下防止バンドの平面図である。
【図４】同上、落下防止バンドの側面図である。
【図５】本発明の実施例２を示す天井構造の要部の側面図である。
【発明を実施するための形態】
【００１１】
本発明における好適な実施の形態について、添付図面を参照しながら詳細に説明する。尚、以下に説明する実施の形態は、特許請求の範囲に記載された本発明の内容を限定するものではない。また、以下に説明される構成の全てが、本発明の必須要件であるとは限らない。各実施例では、従来とは異なる新規な天井落下防止バンドを採用することにより、従来にない天井構造が得られ、その天井構造について記述する。
【実施例１】
【００１２】
以下、本発明の実施例を、添付図面を参照して説明する。
【００１３】
図１〜図４は本発明の実施例１を示し、同図に示すように、本発明の天井構造は、建物躯体の天井たる天井スラブ１から吊りボルト２を垂設し、この吊りボルト２の下端に支持部材たるハンガー３を取り付け、このハンガー３により野縁受け４を支持し、この野縁受け４の下部に取付部材たるクリップ５により野縁６を取り付け、この野縁６により天井材（図示せず）を支持する。
【００１４】
前記ハンガー３は、前記吊りボルト２を挿通する横方向の上片３Ａと、前記野縁受け４を引っ掛ける掛け部３Ｂとを一体に有する。また、前記上片３Ａに前記吊りボルト２を挿通した状態で、前記上片３Ａの上下で吊りボルト２にナット７，７Ａを螺合し、これらナットナット７，７Ａにより上片３Ａを挟み付けるようにしている。
【００１５】
前記クリップ５は、前記野縁受け４に引っ掛けて吊設する上部の吊設部５Ａと、前記野縁６に係止する下部の係止部５Ｂとを一体に有する。
【００１６】
以下、本発明の天井構造に用いるバンド１１について説明する。図３及び図４に示すように、バンド１１は合成樹脂などからなり、可撓性を有する帯状のバンド部１２と、バンド部１２の一端に設けられロック部１３とを一体に備え、前記バンド部１２の先端１２Ａは挿通し易いように尖鋭に形成されている。また、前記ロック部１３には挿通係止孔１４が穿設され、前記ロック部１３は、前期挿通係止孔１４に挿通したバンド部１２が該挿通係止孔１４に係止し、緩み側にもどらないようにロックするものである。この場合、バンド部１２の幅方向両側に、前記挿通係止孔１４に係止する係止歯列（図示せず）を設けたり、バンド部１２の厚さ方向一側面に挿通係止孔１４に係止する係止歯列（図示せず）を設けたりして、緩み側に戻らないようにロックすることができる。また、前記バンド部１２のロック部１３側には、吊りボルト固定部たる吊りボルト用挿通孔１５を設け、この挿通孔１５の周囲部分１６は、前記バンド部１２より厚く、該バンド部１２の幅より大きなリング状に形成され、前記ナット７に対して、ワッシャとして作用する。
【００１７】
次に、前記バンド１１の使用方法を説明する。吊りボルト２の下端に、上のナット７を螺合し、ナット７の下方で吊りボルト２の下端を挿通孔１５に挿通し、さらに、この下でその下端を上片３Ａに挿通し、下のナット７Ａを螺合し、ナット７，７Ａの間にバンド部１２の前記周囲部分１６と上片３Ａを挟み付ける。これにより、バンド１１が吊りボルト２に固定される。この後、定法に従い、ハンガー３に野縁受け４を取り付けて支持し、その野縁受け４の下にクリップ５により野縁６を取り付ける。
【００１８】
この後、バンド部１２を野縁６に掛け、先端１２Ａを挿通係止孔１４に挿通し、先端１２Ａを引っ張ってバンド部１２の輪を締め、吊りボルト２にバンド１１により野縁６を固定する。
【００１９】
このように本実施例では、天井たる天井スラブ１から垂下した吊りボルト２と、この吊りボルト２の下部に取り付けられ野縁受け４を支持する支持部材たるハンガー３と、野縁受け４の下部に取付部材たるクリップ５により取り付けられる野縁６と、吊りボルト２と野縁６とを連結する天井落下防止バンド１１と、を備えた天井構造において、天井落下防止用バンド１１は、バンド部１２と、このバンド部１２を挿通係止し該バンド部１２を緩め側に戻さないようにするロック部１３と、吊りボルト２に固定する吊りボルト固定部たる吊りボルト挿通孔１５とを備え、ハンガー３は、吊りボルト２を挿通する上片３Ａと、野縁受け４を引っ掛ける掛け部３Ｂとを一体に有し、吊りボルト固定部が吊りボルト用挿通孔１５であり、吊りボルト用挿通孔の周囲部分１６は、バンド部１２より厚く、上片３Ａと吊りボルト用挿通孔１５に吊りボルト２を挿通すると共に、吊りボルト２に螺合した上下のナット７，７Ａにより周囲部分１６と上片３Ａを挟み付けるため、使用時には、挿通孔１５によりバンド１１を吊りボルト２に固定し、バンド部１２を野縁６に巻き、そのバンド部１２をロック部１３に係止する。これにより野縁６が野縁受け４から外れても、野縁６がバンド１１を介して吊りボルト２により保持され、天井面の落下を防止することができる。また、挿通孔１５の周囲部分１６を厚く、他の部分より幅広に形成したから、挿通孔１５の強度を向上することができる。さらに、前記周囲部分１６は、上片３Ａとナット７間において圧縮され、ワッシャと同様にナット７の緩み止め効果を奏する。
【実施例２】
【００２０】
図５は、本発明の実施例２を示し、上記実施例１と同一部分に同一符号を付し、その詳細な説明を省略して詳述する。この例では、挿通孔１５によりバンド１１を吊りボルト２に固定し、バンド部１２を野縁受け４に巻き、そのバンド部１２をロック部１３に係止することにより、吊りボルト２と野縁受け４とをバンド１１により連結しており、ハンガー３から野縁受け４が外れることを防止でき、上記実施例１と同様の作用・効果を奏する。
【００２１】
なお、本発明は、前記実施例に限定されるものではなく、種々の変形実施が可能である。例えば、野縁受けと野縁の交差部で、それら野縁受けと野縁にバンド部を巻き付け、野縁受けと野縁の両者を吊りボルトに連結するようにしてもよい。また、バンドを上片の上に巻いたが、上片の下にバンドを巻いて下のナットにより上片に固定してもよい。
【符号の説明】
【００２２】
１ 天井スラブ（天井）
２ 吊りボルト
３ ハンガー（支持部材）
３Ａ 上片
３Ｂ 掛け部
４ 野縁受け
５ クリップ（取付部材）
６ 野縁
７ ナット
７Ａ ナット
１１ バンド
１２ バンド部
１３ ロック部
１４ 挿通係止孔
１５ 吊りボルト用挿通孔
１６ 吊りボルト用挿通孔の周囲部分
【図１】
0005394146.tif 000002
【図２】
0005394146.tif 000003
【図３】
0005394146.tif 000004
【図４】
0005394146.tif 000005
【図５】
0005394146.tif 000006